(57)【要約】【課題】  非接触ＩＣデータキャリアを介して取引処理を行う取引装置において、その取引処理の際に減算処理を免れる等の不正行為を防止できるようにする。【解決手段】  本発明の取引装置１は、取引処理の際にＩＣカード２０が収容部１２に収容されてその扉１３がロックされる。そして、複写サービスの取引に伴う後精算が完了した後に扉１３のロックが解除される。このため、利用者がその取引処理の際に所定のタイミングでＩＣカード２０を抜き取って減算処理を免れる等の不正行為を防止することができる。また、リードライト部１４が読み取った残金情報の範囲内で複写サービスの取引が実行制御されるため、ＩＣカード２０に記録された残金が少ない場合でも、その残金以上の複写サービスを提供することが防止される。【選択図】  図３
2005190291.tif 000002
【特許請求の範囲】
【請求項１】
非接触ＩＣデータキャリアを使用した後精算により商品又はサービスの取引処理を実行する取引装置であって、
前記非接触ＩＣデータキャリアを収容する収容部と、
前記収容部に設置され、前記非接触ＩＣデータキャリアを載置してその残金情報の読み取り及び書き込みを実行するリードライト部と、
前記収容部を開閉可能な扉と、
前記扉が閉じられたことを検出する検出手段と、
前記検出手段により前記扉が閉じられたことが検出されると、前記扉を閉じた状態でロックするロック手段と、
前記ロック手段により前記扉がロックされると、前記リードライト部が読み取った残金情報の範囲内で前記商品又はサービスの取引を実行制御する制御手段と、
前記制御手段による前記商品又はサービスの取引が終了した後に、その商品又はサービスの後精算をし、前記残金情報からその精算額を減算して新たな残金情報を演算する演算手段と、
前記リードライト部による前記新たな残金情報の書き込みが完了したときに、前記扉のロック状態を解除するロック解除手段と、
を備えたことを特徴とする取引装置。
【請求項２】
前記制御手段は、前記商品又はサービスの提供に伴ってその取引額を逐次累積演算し、少なくとも前記取引額が前記リードライト部が読み取った残金情報と同一、又は前記取引額と前記残金情報との差額が前記商品又はサービスの最低取引額よりも小さくなったときに、前記商品又はサービスの提供を中止し、
前記演算手段は、その中止されたときの取引額を前記精算額として前記残金情報から減算することを特徴とする請求項１記載の取引装置。
【請求項３】
前記リードライト部が読み取った前記残金情報が、前記商品又はサービスの最低取引額よりも小さい場合には、前記制御手段は前記商品又はサービスの提供を実行せず、前記ロック解除手段は、直ちに前記扉のロック状態を解除することを特徴とする請求項１記載の取引装置。
【請求項４】
非接触ＩＣデータキャリアを使用した後精算により商品又はサービスの取引処理を実行する取引装置に装着され、その精算処理の際に前記非接触ＩＣデータキャリアを前記取引装置に対してホールドする非接触ＩＣデータキャリアホルダであって、
前記非接触ＩＣデータキャリアを収容する収容部と、
前記収容部に設置され、前記非接触ＩＣデータキャリアを載置してその残金情報の読み取り及び書き込みを実行するリードライト部と、
前記収容部を開閉可能な扉と、
前記扉が閉じられたことを検出する検出手段と、
前記検出手段により前記扉が閉じられたことが検出されると、前記扉を閉じた状態でロックするロック手段と、
前記取引装置において前記取引処理を実行する主制御部と通信可能であり、前記ロック手段により前記扉がロックされると同時に、前記リードライト部が読み取った残金情報を前記主制御部に送信し、その後、前記主制御部から前記取引処理に伴う精算額が送信されてくると、これを受信する送受信手段と、
前記残金情報から前記送受信手段が受信した精算額を減算して新たな残金情報を算出する算出手段と、
前記リードライト部による前記新たな残金情報の書き込みが完了した後、前記扉のロック状態を解除するロック解除手段と、
を備えたことを特徴とする非接触ＩＣデータキャリアホルダ。
【請求項５】
前記扉は、前記収容部に収容された前記非接触ＩＣデータキャリアを外部から視認できるように透過性材料から構成され、かつ、電磁波を遮断する電磁シールドがなされていることを特徴とする請求項４記載の非接触ＩＣデータキャリアホルダ。
【請求項６】
前記扉は、ロックされていない状態において外部から手動により開閉可能に構成されたことを特徴とする請求項４記載の非接触ＩＣデータキャリアホルダ。
【請求項７】
前記取引装置の主制御部に対し、前記送受信手段を介して前記取引処理の継続をキャンセルさせるためのキャンセル信号を出力するためのキャンセルボタンが設けられたことを特徴とする請求項４記載の非接触ＩＣデータキャリアホルダ。
【発明の詳細な説明】
【技術分野】
【０００１】
本発明は、非接触ＩＣカードやＩＣチップを内蔵した携帯端末装置等の非接触ＩＣデータキャリアを介して取引処理を行う取引装置、及びその取引処理の際に非接触ＩＣデータキャリアを取引装置にホールドする非接触ＩＣデータキャリアホルダに関する。
【背景技術】
【０００２】
近年のキャッシュレス化の進展等に伴い、商品やサービスの提供に伴う取引処理を、非接触ＩＣカード等の非接触ＩＣデータキャリアを介して行うシステムが普及している。
このようなシステムにおいては、入金情報が記録された非接触ＩＣデータキャリアを取引装置のデータ通信部にかざすことにより無線通信による取引処理が自動的に行われる。このため、その非接触ＩＣデータキャリアは、カード形状である必要はなく、アンテナを送受信部とするＩＣチップを内蔵した時計，キーホルダ，携帯電話等の携帯端末装置等として構成されたりもしている。
【０００３】
尚、本発明は公知・公用の技術に基づいて発明されたものであるため、先行技術文献については開示しない。
【発明の開示】
【発明が解決しようとする課題】
【０００４】
ところで、例えばガソリンの給油や複写機の利用など、取引前に清算額が確定しない後清算の取引においては、取引装置は、データ読取部にて取引開始時に非接触ＩＣデータキャリアに十分な残高があることを検知して、これを主制御部に通知し、それにより取引が可能であることを認識して取引を開始する。そして、取引終了時にその取引金額の減算処理を行うようにしていた。
【０００５】
しかしながら、取引終了時において取引開始時に認識した非接触ＩＣデータキャリアが認識できなければ、取引金額の減算処理を実行することができない。このため、この特性を利用して取引金額の減算処理の直前に非接触ＩＣデータキャリアを取り去れば、取引金額を減算されることなく、商品やサービスの提供を受けることが可能となってしまうといった問題があった。
【０００６】
本発明はこのような点に鑑みてなされたものであり、非接触ＩＣデータキャリアを介して取引処理を行う取引装置において、その取引処理の精算の際に減算処理を免れる等の不正行為を防止できるようにするとともに、利用者が残金情報をあえて認識しないでも取引処理を遂行してその便宜を図ることができるようにすることを目的とする。
【課題を解決するための手段】
【０００７】
本発明では上記問題を解決するために、非接触ＩＣデータキャリアを使用した後精算により商品又はサービスの取引処理を実行する取引装置であって、前記非接触ＩＣデータキャリアを収容する収容部と、前記収容部に設置され、前記非接触ＩＣデータキャリアを載置してその残金情報の読み取り及び書き込みを実行するリードライト部と、前記収容部を開閉可能な扉と、前記扉が閉じられたことを検出する検出手段と、前記検出手段により前記扉が閉じられたことが検出されると、前記扉を閉じた状態でロックするロック手段と、前記ロック手段により前記扉がロックされると、前記リードライト部が読み取った残金情報の範囲内で前記商品又はサービスの取引を実行制御する制御手段と、前記制御手段による前記商品又はサービスの取引が終了した後に、その商品又はサービスの後精算をし、前記残金情報からその精算額を減算して新たな残金情報を演算する演算手段と、前記リードライト部による前記新たな残金情報の書き込みが完了したときに、前記扉のロック状態を解除するロック解除手段と、を備えたことを特徴とする取引装置が提供される。
【０００８】
ここで、「非接触ＩＣデータキャリア」とは、非接触ＩＣカードや携帯電話等の携帯端末など、キャッシュレスサービスを利用するために入金・残金情報が記録され、取引装置側との通信により精算処理が可能な媒体を意味する。また、「残金情報」には、残金額自体そのもののほか、例えば残金と等価なポイント数など、商品又はサービスの対価となり得る情報を含み得る。
【０００９】
このような取引装置によれば、商品又はサービスの取引に伴う精算がその取引後に行われるが、その取引処理の間は非接触ＩＣデータキャリアは扉の中に収容されてロックされ、その精算が完了した後に扉のロックが解除される。このため、利用者は、残金情報からその精算額が減算されるまで非接触ＩＣデータキャリアを収容部から取り出すことはできない。
【００１０】
また、リードライト部が読み取った残金情報の範囲内で商品又はサービスの取引が実行制御されるため、取引装置の利用者がその残金情報を上回る取引を設定したとしても、その残金情報の範囲内でしか商品又はサービスの提供は行われない。
【発明の効果】
【００１１】
本発明の取引装置によれば、非接触ＩＣデータキャリアの残金情報から取引の精算額が減算されるまでその非接触ＩＣデータキャリアを収容部から取り出すことができないため、利用者が取引処理の後精算の際に非接触ＩＣデータキャリアを取り去って減算処理を免れる等の不正行為を防止することができる。
【００１２】
また、その残金情報の範囲内で自動的に商品又はサービスの提供が行われるため、非接触ＩＣデータキャリアに記録された残金が少ない場合でも、その残金以上の商品又はサービスを提供することが防止される。また、利用者がその残金情報を上回る取引を設定したとしても、取引が直ちに停止されるわけではなく、残金情報の範囲内で行われるため、利用者の便宜を図ることができる。
【発明を実施するための最良の形態】
【００１３】
以下、本発明の実施の形態を図面に基づいて詳細に説明する。本実施の形態は、本発明の取引装置をコンビニエンスストア等に設置される複写機として構成したものであり、図１は当該取引装置の外観を表す斜視図であり、図２はその取引装置の一部を構成し、非接触ＩＣカード（以下、単に「ＩＣカード」という）を収容する非接触ＩＣデータキャリアホルダ（以下、単に「ホルダ」という）の構造を表す説明図である。同図（Ａ）はそのホルダの斜視図であり、同図（Ｂ）は同図（Ａ）のＡ−Ａ断面図である。
【００１４】
図１に示すように、本実施の形態の取引装置１は、複写機能を有する装置本体２と、その装置本体２に装着され、その複写動作に基づいて複写サービスに対する課金処理（精算）を行うためのホルダ１０とから構成されている。
【００１５】
図２に示すように、ホルダ１０は、取引装置１の前面に配置されるパネル１１を備えた筐体と、パネル１１に形成された開口部１１ａをその裏面側で覆うように設けられた箱状の収容部１２と、開口部１１ａを収容部１２の前面側で開閉する扉１３とを備えている。
【００１６】
収容部１２の底面には、後述するＩＣカード２０（非接触ＩＣデータキャリア）を載置してその残金情報の読み取り及び書き込みを実行するリードライト部１４が配設されている。このリードライト部１４には、ＩＣカード２０と通信を行うためのアンテナ１５が設けられている。
【００１７】
扉１３は、透過性の樹脂材から構成され、その前面をなす１／４円弧状の湾曲面の両端が側壁により閉じられたような蓋形状をなし、パネル１１の後方に設けられた図示しない回動軸を中心に回動可能に構成されている。扉１３の前面側先端縁の中央には所定幅で延出した係止凸部１３ａが設けられ、一方、パネル１１の開口部１１ａの下端縁中央には、その係止凸部１３ａに嵌合してこれを係止する係止凹部１１ｂが形成されている。
【００１８】
この扉１３は、収容部１２の上端縁とパネル１１の開口部１１ａの上端縁との間に形成された隙間３１を介してパネル１１の前後に進退可能に構成されており、図示しないバネ部材によって後方（開口部１１ａの開口方向）に付勢されている。さらに、この扉１３の裏面（凹面側）には、金属メッシュが扉１３の透過性を大きく妨げない程度に適度に配設され、電磁波を遮断する電磁シールドを構成している。
【００１９】
また、パネル１１の係止凹部１１ｂの近傍には、係止凸部１３ａが嵌合して扉１３が閉じられたことを検知する扉センサ２１が設けられている。一方、パネル１１の裏側には、上記隙間３１に対して進退し、扉１３が閉じたときにその後端縁を係止して、その扉１３を閉じた状態でロックすることが可能なストッパ２２が配設されている。このストッパ２２は、パネル１１の裏側に配置された後述するソレノイド２３によって進退駆動される。このストッパ２２により扉１３がロックされているか否かは、隙間３１の近傍に設けられた後述するロック検知センサ２５によって検知される。
【００２０】
また、パネル１１の前面には、取引の情報を表示するための表示部１８と、利用者が取引の継続をキャンセルするためのキャンセル信号を出力するためのキャンセルボタン１９が設けられている。以上に説明したリードライト部１４による読み取り及び書き込み処理，ソレノイド２３の駆動，表示部１８への表示処理，キャンセルボタン１９の操作による取引の中止処理等は、パネル１１の裏側に配設された後述するマイクロコンピュータ（以下「マイコン」という）３０によって実行される。
【００２１】
図３は取引装置１の制御部周辺の構成を表すブロック図である。尚、同図において、図１及び図２と同様の構成部分については同一の符号を付している。
図３に示すように、取引装置１においては、複写サービスの課金処理を実行するホルダ１０に内蔵されたマイコン３０と、複写動作の制御を行う装置本体２のマイコン４０（主制御部）とが、それぞれの通信制御部３５，４５を介して互いに通信可能に構成されている。ＩＣカード２０とホルダ１０との通信は、リードライト部１４に設けられたアンテナ１５を介して行われ、そのアンテナ１５を介して受信したＩＣカード２０のカード情報は、高周波（ＲＦ）回路３３を経由してマイコン３０に入力される。マイコン３０は、このＲＦ回路３３を介して得たＩＣカード２０の残金情報，及び扉センサ２１やロック検知センサ２５からの出力信号に基づいて装置本体２と通信をし、複写サービスに対する精算処理を実行する。
【００２２】
次に、ホルダ１０の動作について図４に基づいて説明する。
同図（Ａ）に示すように、取引装置１の利用者は、自身のＩＣカード２０を収容部１２内のリードライト部１４に載置する。そして、同図（Ｂ）に示すように、係止凸部１３ａを掴んで手前に引っ張るようにして手動により扉１３を閉める。このとき、係止凸部１３ａが係止凹部１１ｂに嵌合して係止され、扉センサ２１により扉１３が閉められたことが検知される。マイコン３０は、この扉センサ２１の検知信号を受け取ってソレノイド２３への通電を行う。すると、同図（Ｃ）に示すように、ストッパ２２が動作して隙間３１に嵌入され、扉１３の後端縁を係止してロックする。このロック状態は、ロック検知センサ２５により検知される。
【００２３】
そして、このように扉１３がロックされた状態で、リードライト部１４による後述する読取処理が開始される。このとき、上述のように扉１３が透過性材料から形成されているため、利用者は収容部１２内のＩＣカード２０を外部から視認することができる。そして、取引処理が終了してＩＣカード２０の減額処理が終了すると、ソレノイド２３への通電が停止されることにより、扉１３のロックが解除される。このとき、上記バネ部材の付勢力によって扉１３が押し上げられて収容部１２が開放されるため、利用者はＩＣカード２０を取り出すことができる。
【００２４】
次に、取引装置１により実行される取引処理の流れについて、図５のフローチャートに基づいて説明する。尚、同図においては、ホルダ１０側のマイコン３０と装置本体２側のマイコン４０のそれぞれが実行する処理が示されている。
【００２５】
まず、ホルダ１０において、ＩＣカード２０が収容部１２内に載置されたと判断すると（Ｓ１１０：ＹＥＳ）、リードライト部１４によってＩＣカード２０に記録されたカード情報の読み取りを行う（Ｓ１２０）。このとき、ＩＣカード２０が取扱える種類のものでないなど無効である場合には（Ｓ１３０：ＮＯ）、その旨を表示部１８に表示させてそのまま処理を終了する（Ｓ２６０）。
【００２６】
一方、Ｓ１３０にてＩＣカード２０が有効であると判断した場合には（Ｓ１３０：ＹＥＳ）、続いて、残金情報により残高が有るか否かを判断し、残高が無い場合には（Ｓ１４０：ＮＯ）、その旨を表示部１８に表示させてそのまま処理を終了する（Ｓ２６０）。
【００２７】
Ｓ１４０にて残高が有ると判断した場合には（Ｓ１４０：ＹＥＳ）、音声又は表示部１８への表示により、利用者に対して扉１３を閉じるように指示する（Ｓ１５０）。
そして、扉センサ２１の出力により扉１３が閉じられたと判断すると（Ｓ１６０：ＹＥＳ）、ソレノイド２３を駆動して扉１３をロックし（Ｓ１７０）、同時に、装置本体２側に残金情報に基づく利用可能金額情報を送信する（Ｓ１８０）。
【００２８】
装置本体２側では、この利用可能金額情報を受信すると（Ｓ３１０：ＹＥＳ）、その残高が最低取引額以上であるか否かを判断する。つまり、利用者が指定する複写一枚分の残高があるか否かを判断し、残高が足らないと判断した場合には（Ｓ３２０：ＮＯ）、その取引情報を記憶する取引終了処理を行い（Ｓ３７０）、その取引が遂行できない旨を表す取引情報をホルダ１０側に通知する（Ｓ３８０）。
【００２９】
一方、Ｓ３２０において、残高が最低取引額以上であると判断した場合には（Ｓ３２０：ＹＥＳ）、取引処理を開始して残金情報及び利用者による複写枚数の設定情報に基づいた複写処理を実行制御する（Ｓ３３０）。このとき、複写処理の進行に伴ってその使用料金（取引額）を逐次累積して現在の取引額を演算し、複写処理毎に残金情報の残高が現在の取引額よりも多いか否かを判断する。また、利用者によるキャンセルボタン１９の操作により複写処理が途中でキャンセルされたか否かについても判断する。このとき、設定枚数に至るまでに残高が足らなくなったり（Ｓ３４０：ＮＯ）、途中で処理がキャンセルされた場合には（Ｓ３５０：ＹＥＳ）、その取引情報を記憶する取引終了処理を行い（Ｓ３７０）、その旨を表す取引情報をホルダ１０側に通知する（Ｓ３８０）。
【００３０】
取引処理が正常に行われ、設定取引額が現在の取引額、つまり残高が不足することなく複写枚数が設定枚数に達すると（Ｓ３６０：ＹＥＳ）、その取引情報を記憶する取引終了処理を行い（Ｓ３７０）、その取引が正常に終了した旨を表す取引情報をホルダ１０側に通知する（Ｓ３８０）。
【００３１】
以上のようにして装置本体２によって取引情報が通知され、ホルダ１０側でこれを受信すると（Ｓ１９０：ＹＥＳ）、ホルダ１０は、その取引情報から取引が正常に終了したか否かを判断する（Ｓ２００）。このとき、残高が足らず取引がなされなかった場合には、取引が正常に終了しなかったと判断し（Ｓ２００：ＮＯ）、扉１３のロックを解除した後（Ｓ２５０）、その旨を表示部１８に表示させて一連の処理を終了する（Ｓ２６０）。
【００３２】
一方、Ｓ２００にて取引が正常に終了したと判断した場合には（Ｓ２００：ＹＥＳ）、残金情報から取引額（精算額）を減額して得た新たな残金情報をＩＣカード２０に書き込む（Ｓ２１０）。つまり、設定取引額で取引を終了したときはその取引額を、設定取引額に至らずに取引を終了したときはそれまでの取引額を、さらに、途中で取引がキャンセルされた場合にはその途中までの取引額を、それぞれ精算額として減額する。
【００３３】
そして、利用者による取引継続の意思を外部入力により確認し（Ｓ２２０）、その継続の有無を装置本体２側に通知する（Ｓ２３０）。尚、利用者は、装置本体２側の図示しない設定ボタンを操作することによって新たな複写枚数を設定して取引を継続させたり、ホルダ１０に設けられた上記キャンセルボタン１９を押すことにより、この取引の継続をキャンセルすることが可能である。
【００３４】
装置本体２側では、この継続の有無を表す情報を受信して、継続すると判断した場合には（Ｓ３９０：ＹＥＳ）、Ｓ３２０に戻って上述した処理を繰り返す。
一方、Ｓ２３０においてホルダ１０側で取引を継続しない旨の通知がされ、Ｓ３９０にて装置本体２側で取引の継続が行われないと判断した場合には（Ｓ３９０：ＮＯ）、装置本体２側は扉１３のロック解除指令を通知して一連の処理を終了する（Ｓ４００）。
【００３５】
ホルダ１０は、このロック解除指令を受信すると（Ｓ２４０）、扉１３のロックを解除した後（Ｓ２５０）、それまでの取引の結果を表示部１８に表示させて一連の処理を終了する（Ｓ２６０）。
【００３６】
以上に説明したように、本実施の形態の取引装置１は、複写サービスの取引に伴う精算がその取引後に行われるが、その精算が完了した後に扉１３のロックが解除される。このため、残金情報からその精算額が減算されるまでＩＣカード２０を収容部から取り出すことができない。このため、利用者が取引処理の際に減算処理を免れる等の不正行為を防止することができる。
【００３７】
また、リードライト部１４が読み取った残金情報の範囲内で複写サービスの取引が実行制御されるため、ＩＣカード２０に記録された残金が少ない場合でも、その残金以上の複写サービスを提供することが防止される。また、利用者がその残金情報を上回る取引を設定したとしても、取引が直ちに停止されるわけではなく、残金情報の範囲内で行われるため、利用者の便宜を図ることができる。
【００３８】
さらに、扉１３が透過性材料から構成され、収容部１２に収容されたＩＣカード２０を外部から視認できるため、利用者に安心感を与えることができる。また、扉１３に電磁シールドが施されているため、リードライト部１４が収容部１２に収容されたＩＣカード２０以外のＩＣカードと通信するなどの誤作動を防止することができる。それにより、例えば悪質な利用者がＩＣカード２０を収容部１２に入れずにリードライト部１４にかざした状態で扉１３を閉じて取引処理を開始させ、取引終了間際にＩＣカード２０を取り去って減算処理を免れる等の不正行為を防止することができる。
【００３９】
尚、本実施の形態において、扉センサ２１が検出手段に該当し、マイコン３０，ストッパ２２及びソレノイド２３がロック手段及びロック解除手段に該当する。また、マイコン４０が制御手段に該当し、マイコン３０及びマイコン４０が演算手段に該当する。さらに、通信制御部３５が送受信手段に該当し、マイコン３０が算出手段に該当する。
【００４０】
以上、本発明の好適な実施の形態について説明したが、本発明はその特定の実施の形態に限定されるものではなく、本発明の精神の範囲内での変化変形が可能であることはいうまでもない。
【００４１】
例えば、上記実施の形態では、図５に示したように、取引額がリードライト部１４が読み取った残金情報と同一となったときに取引を中止する例を示したが、残金情報が商品又はサービスの最低取引額（単価等）の倍数額とは必ずしも一致しない場合があるため、取引額と残金情報との差額が商品又はサービスの最低取引額よりも小さくなったときに、取引を中止するようにしてもよい。
【００４２】
また、上記実施の形態では、本発明の取引装置を複写サービスを提供する複写機として構成した例を示したが、例えばガソリンスタンドの給油装置として構成するなど、商品又はサービスの提供を後精算するシステムの他の装置としても構成することができる。
【００４３】
また、上記実施の形態では、非接触ＩＣデータキャリアとしてＩＣカードを使用した例を示したが、例えば携帯電話等の携帯端末や腕時計など、入金・残金情報が記録可能な媒体であれば同様に使用することが可能である。
【図面の簡単な説明】
【００４４】
【図１】実施の形態の取引装置の外観を表す斜視図である。
【図２】取引装置の一部を構成するホルダの構造を表す説明図である。
【図３】取引装置の制御部周辺の構成を表すブロック図である。
【図４】ホルダの動作方法を表す説明図である。
【図５】取引装置により実行される取引処理の流れを表すフローチャートである。
【符号の説明】
【００４５】
１  取引装置
２  装置本体
１０  ホルダ
１２  収容部
１３  扉
１４  リードライト部
１８  表示部
２０  ＩＣカード
２１  扉センサ
２２  ストッパ
２５  ロック検知センサ
３０，４０  マイコン
３５，４５  通信制御部
【図１】
2005190291.tif 000003
【図２】
2005190291.tif 000004
【図３】
2005190291.tif 000005
【図４】
2005190291.tif 000006
【図５】
2005190291.tif 000007